(57)【要約】【課題】作業者にとって、壁面への取り付け作業の効率が向上する操作機器および操作機器の壁面への取付方法を提供する。【解決手段】壁面に取り付けられる、建物内の設備の操作機器１であって、背面側ケース７と、正面側ケース６とを備える。背面側ケース７は、壁面への取り付けを可能にする取付部８ａ、８ｂと、端子部７０とを有する。端子部７０は、設備からの配線が接続される。正面側ケース６は、表示部４１と、操作部１１〜１６とを有し、背面側ケース７の蓋となる。操作部１１〜１６は、人の操作を受け付ける。【選択図】図２
2010266117.tif 000002
【特許請求の範囲】
【請求項１】
壁面（Ｗ）に取り付けられる、建物内の設備の操作機器（１，１００）であって、
壁面（Ｗ）への取り付けを可能にする取付部（８ａ，８ｂ）と、前記設備からの配線（Ｌ）が接続される端子部（７０，１７０）とを有する背面側ケース（７，２２０）と、
表示部（４１）と、人の操作を受け付ける操作部（１１〜１６）とを有し、前記背面側ケース（７）の蓋となる正面側ケース（６，２１０）と、
を備える操作機器（１，１００）。
【請求項２】
前記背面側ケース（７，２２０）と、前記正面側ケース（６，２１０）とは、嵌合する、
請求項１に記載の操作機器（１，１００）。
【請求項３】
前記正面側ケース（６，２１０）には、前記背面側ケース（７，２２０）との嵌合時に前記端子部（７０，１７０）と電気的に接続される電装部（４，１４０）が設けられている、
請求項２に記載の操作機器（１，１００）。
【請求項４】
前記背面側ケース（７）および前記正面側ケース（６）のうち一方は、ガイド部（８ｄ，８ｅ）を有し、前記背面側ケース（７）および前記正面側ケース（６）のうち他方は、被ガイド部（１１１ｂ，１１１ｄ）を有し、
前記背面側ケース（７）と、前記正面側ケース（６）とは、前記被ガイド部（１１１ｂ，１１１ｄ）が前記ガイド部（８ｄ，８ｅ）に導かれることによって、互いにスライド可能であり、
前記正面側ケース（６）は、前記背面側ケース（７）に対してスライドして所定位置になったときに、前記背面側ケース（７）に嵌合する、
請求項３に記載の操作機器（１）。
【請求項５】
前記背面側ケース（２２０）と、前記正面側ケース（２１０）とは、ヒンジ（２５０）を介して連結される、
請求項１または２に記載の操作機器（１００）。
【請求項６】
請求項３または５に記載の操作機器の壁面への取付方法であって、
前記背面側ケース（７，２２０）を、前記取付部（８ａ，８ｂ）を介して壁面（Ｗ）に取り付ける第１ステップと、
前記配線（Ｌ）を前記端子部（７０，１７０）に接続させる第２ステップと、
前記正面側ケース（６，２１０）を、前記背面側ケース（７，２２０）に嵌合させる第３ステップと、
を備える、操作機器の壁面への取付方法。
【請求項７】
請求項４に記載の操作機器の壁面への取付方法であって、
前記背面側ケース（７）を、前記取付部（８ａ，８ｂ）を介して壁面（Ｗ）に取り付ける第１ステップと、
前記配線（Ｌ）を前記端子部（７０）に接続させる第２ステップと、
前記正面側ケース（６）を、前記背面側ケース（７）に対してスライドさせて嵌合させる第３ステップと、
を備える、操作機器の壁面への取付方法。
【発明の詳細な説明】
【技術分野】
【０００１】
本発明は、操作機器および操作機器の壁面への取付方法に関する。
【背景技術】
【０００２】
従来、壁や柱に取り付けられて、空調機等の設備の遠隔操作を行う操作機器が存在する。この操作機器の中には、特許文献１（特開２００２−３７２２５７号公報）に記載の操作機器のように、上側ケースと下側ケースとが分離可能で、まず、下側ケースを壁面に取り付け、そして、上側ケースを下側ケースに嵌まるように取り付けるタイプのものがある。
【発明の概要】
【発明が解決しようとする課題】
【０００３】
特許文献１に記載のような操作機器では、各種の電子部品が実装された制御基板は、操作ボタンや液晶開口を有する上側ケースに設けられることが多い。このため、設備からの配線を接続する端子部は、上側ケースに配置されることが多い。また、配線を貫通させる開口は、下側ケースに設けられることが多い。そして、このような操作機器の壁への取り付け方法として、まず、壁から配線を取り出し、下側ケースの開口に配線を貫通させ、下側ケースを壁に固定した後、配線を上側ケースの端子部に接続して、上側ケースを下側ケースに嵌める方法がある。
【０００４】
しかし、上側ケースを下側ケースに嵌める際、配線が余っている場合は、配線を余った長さの分だけ壁に戻しながら作業を行う必要があり、作業効率に影響を与えることが想定される。また、余った配線をうまく壁に収納することができない場合を考えると、上側ケースが浮いてしまうことも想定される。さらに、配線を端子部に接続する作業においては、制御基板の品質の低下を防止するために上側ケースに配置される制御基板に触れずに作業をすることが好ましいが、これを考慮すると、作業時間が長くなる場合も想定される。
【０００５】
そこで、本発明の課題は、作業者にとって、壁面への取り付け作業の効率が向上する操作機器および操作機器の壁面への取付方法を提供することにある。
【課題を解決するための手段】
【０００６】
第１発明に係る操作機器は、壁面に取り付けられる、建物内の設備の操作機器であって、背面側ケースと、正面側ケースとを備える。背面側ケースは、壁面への取り付けを可能にする取付部と、端子部とを有する。端子部は、設備からの配線が接続される。正面側ケースは、表示部と、操作部とを有し、背面側ケースの蓋となる。操作部は、人の操作を受け付ける。
【０００７】
ここで、例えば、設備は、空調設備である。
【０００８】
第１発明に係る操作機器では、背面側ケースが、設備からの配線を接続する端子部を有することで、配線を背面側ケースに接続しやすくなる。よって、操作機器の壁面への取り付け作業の効率が向上する。
【０００９】
第２発明に係る操作機器は、第１発明に係る操作機器であって、背面側ケースと、正面側ケースとは、嵌合する。
【００１０】
第２発明に係る操作機器では、正面側ケースを背面側ケースに取り付けやすくなる。
【００１１】
第３発明に係る操作機器は、第２発明に係る操作機器であって、正面側ケースには、背面側ケースとの嵌合時に、端子部と電気的に接続される電装部が設けられている。
【００１２】
第３発明に係る操作機器では、正面側ケースと背面側ケースとを嵌合させることにより、背面側ケースに設けられる端子部と、正面側ケースに設けられる電装部とが電気的に接続される。これにより、配線を電装部に電気的に接続させることが容易になる。
【００１３】
第４発明に係る操作機器は、第３発明に係る操作機器であって、背面側ケースおよび正面側ケースのうち一方は、ガイド部を有し、背面側ケースおよび正面側ケースのうち他方は、被ガイド部を有する。背面側ケースと、正面側ケースとは、被ガイド部がガイド部に導かれることによって、互いにスライド可能である。そして、正面側ケースは、背面側ケースに対してスライドして所定位置で背面側ケースに嵌合し、端子部と電装部とは、背面側ケースと正面側ケースとの嵌合時に、電気的に接続される。
【００１４】
第４発明に係る操作機器では、背面側ケースと正面側ケースとがスライド可能なスライド構造を有することによって、背面側ケースと正面側ケースとを容易に嵌合させることができ、また、背面側ケースと正面側ケースとの嵌合度合いが向上する。
【００１５】
第５発明に係る操作機器は、第１発明または第２発明に係る操作機器であって、背面側ケースと、正面側ケースとは、ヒンジを介して連結される。
【００１６】
第５発明に係る操作機器では、背面側ケースと正面側ケースとがヒンジで連結されることによって、背面側ケースと正面側ケースとを容易に嵌合させることができる。
【００１７】
第６発明に係る操作機器の壁面への取付方法は、第３発明または第５発明に係る操作機器の壁面への取付方法であって、第１ステップと、第２ステップと、第３ステップとを備える。第１ステップでは、背面側ケースを、取付部を介して壁面に取り付ける。第２ステップでは、配線を端子部に接続させる。第３ステップでは、正面側ケースを、背面側ケースに嵌合させる。
【００１８】
第６発明に係る操作機器の壁面への取付方法では、背面側ケースを壁面に取り付けた後、配線を端子部に接続させるので、配線の端子部への接続作業が容易になる。また、背面側ケースに設けられる端子部に配線を接続させ、そして、正面側ケースを背面側ケースに嵌合させることで、端子部と電装部とが電気的に接続されるので、配線の電装部への接続作業が簡易になる。これらにより、操作機器の壁面への取り付け作業が容易になる。
【００１９】
第７発明に係る操作機器の壁面への取付方法は、第４発明に係る操作機器の壁面への取付方法であって、第１ステップと、第２ステップと、第３ステップとを備える。第１ステップでは、背面側ケースを、取付部を介して壁面に取り付ける。第２ステップでは、配線を端子部に接続させる。第３ステップでは、正面側ケースを、背面側ケースに対して上または下にスライドさせて嵌合させる。
【００２０】
第７発明に係る操作機器の壁面への取付方法では、背面側ケースを壁面に取り付けた後、配線を端子部に接続させるので、配線の端子部への接続作業が容易になる。また、背面側ケースに設けられる端子部に配線を接続させ、そして、正面側ケースを背面側ケースに対してスライドさせて嵌合させることで、端子部と電装部とが電気的に接続されるので、配線の電装部への接続作業が簡易になる。これらにより、操作機器の壁面への取り付け作業が容易になる。
【発明の効果】
【００２１】
第１発明に係る操作機器では、背面側ケースが、設備からの配線を接続する端子部を有することで、配線を背面側ケースに接続しやすくなる。よって、操作機器の壁面への取り付け作業の効率が向上する。
【００２２】
第２発明に係る操作機器では、正面側ケースを背面側ケースに取り付けやすくなる。
【００２３】
第３発明に係る操作機器では、正面側ケースと背面側ケースとを嵌合させることにより、背面側ケースに設けられる端子部と、正面側ケースに設けられる電装部とが電気的に接続される。これにより、配線を電装部に電気的に接続させることが容易になる。
【００２４】
第４発明に係る操作機器では、背面側ケースと正面側ケースとがスライド可能なスライド構造を有することによって、背面側ケースと正面側ケースとの嵌合度合いが向上する。
【００２５】
第５発明に係る操作機器では、背面側ケースと正面側ケースとがヒンジで連結されることによって、背面側ケースと正面側ケースとを容易に嵌合させることができる。
【００２６】
第６発明に係る操作機器の壁面への取付方法では、背面側ケースを壁面に取り付けた後、配線を端子部に接続させるので、配線の端子部への接続作業が容易になる。また、背面側ケースに設けられる端子部に配線を接続させ、そして、正面側ケースを背面側ケースに嵌合させることで、端子部と電装部とが電気的に接続されるので、配線の電装部への接続作業が簡易になる。これらにより、操作機器の壁面への取り付け作業が容易になる。
【００２７】
第７発明に係る操作機器の壁面への取付方法では、背面側ケースを壁面に取り付けた後、配線を端子部に接続させるので、配線の端子部への接続作業が容易になる。また、背面側ケースに設けられる端子部に配線を接続させ、そして、正面側ケースを背面側ケースに対してスライドさせて嵌合させることで、端子部と電装部とが電気的に接続されるので、配線の電装部への接続作業が簡易になる。これらにより、操作機器の壁面への取り付け作業が容易になる。
【図面の簡単な説明】
【００２８】
【図１】リモコンの概略斜視図。
【図２】リモコンの分解斜視図。
【図３】天板と前板とを取り除いた状態の正面側ケース本体の概略斜視図。
【図４】正面側ケース本体の概略斜視図。
【図５】背面側ケースの概略斜視図。
【図６】リモコンの断面図。
【図７】背面側ケースを壁面に固定した状態の断面図。
【図８】正面側ケースの背面側ケースに対するスライドを示す図。
【図９】第２実施形態に係るリモコンの正面側ケースと背面側ケースとをヒンジを介して開いた状態の概略斜視図。
【発明を実施するための形態】
【００２９】
以下、図面を参照しながら、本発明の実施形態について説明する。
【００３０】
なお、以下の実施形態は、本発明の具体例であって、本発明の技術的範囲を限定するものではない。
【００３１】
＜第１実施形態＞
＜リモコン１の構成＞
以下、リモコン１の構成について説明する。
【００３２】
なお、以下の説明において、「上」、「下」、「左」、「右」、「前」、「後」、「正面」、「背面」は、特にことわりのない限り、図１に示すリモコン１を正面側から見た場合の方向を意味する。
【００３３】
リモコン１は、室内の壁面や柱に取り付けられる、空調機を遠隔操作するためのリモートコントローラである。リモコン１は、図２に示すように、主として、略箱形状の本体２を有している。
【００３４】
本体２は、正面側ケース６と、背面側ケース７とを有している。正面側ケース６および背面側ケース７は、樹脂製の部材から構成される。また、正面側ケース６と、背面側ケース７とは、嵌合するように構成されている。
【００３５】
（正面側ケース６の構成）
正面側ケース６は、正面視において、略正方形状を有しており、主として、正面側ケース本体１０と、操作ボタン１１〜１６と、前面パネル３とを有している。
【００３６】
（１）正面側ケース本体１０の構成
正面側ケース本体１０は、正面側ケース本体１０の前面を構成する前板１０ａ、正面側ケース６の上面（具体的には、本体２の上面）を構成する天板１０ｂ、正面側ケース６の左側面（具体的には、本体２の左側面）を構成する左側板１０ｃ（図３を参照）および正面側ケース６の右側面（具体的には、本体２の右側面）を構成する右側板１０ｄを有している。
【００３７】
前板１０ａの略中央部よりも上側の部分には、ユーザが液晶表示板４１（後述する）を正面側から視認できるようにするための表示開口１０１が形成されている。また、前板１０ａの略中央部よりも下側の部分には、５つの凹部１０２〜１０６が形成されている。これらの凹部１０２〜１０６は、正面側から背面側に向かって凹んでいる。
【００３８】
天板１０ｂの下面には、図４に示すように、２つの爪部１１２、１１３が形成されている。
【００３９】
左側板１０ｃは、図３に示すように、平面視においてＴ字状に形成されており、本体部１１１ａと、突出部１１１ｂとを有している。突出部１１１ｂは、本体部１１１ａの略中央部から右側に突出しており、上下方向に延びている。右側板１０ｄは、平面視においてＴ字状に形成されており、本体部１１１ｃと、突出部１１１ｄとを有している。突出部１１１ｄは、本体部１１１ｃの略中央部から左側に突出しており、上下方向に延びている。
【００４０】
（２）操作ボタン１１〜１６の構成
操作ボタン１１〜１６は、ユーザの空調機の運転状態の操作を可能にするボタンである。図４に示すように、操作ボタン１２〜１６の一部は、それぞれ凹部１０２〜１０６に嵌合している。なお、操作ボタン１１は、凹部１０２の略中央部に取り付けられており、そして、操作ボタン１２の内周縁が操作ボタン１１の外周縁に接し、かつ、操作ボタン１２の外周縁が凹部１０２の外周縁に接するように、操作ボタン１２が凹部１０２に取り付けられている。
【００４１】
（３）前面パネル３の構成
前面パネル３は、正面側ケース本体１０の前面（具体的には、前板１０ａの前面）に固定された樹脂製の板状部材である。前面パネル３の正面側ケース本体１０の前面への固定は、接着剤による貼り付けによって行われる。図２に示すように、前面パネル３の中央部よりも上側の部分には、本体２の表示開口１０１に対向するように略長方形状の透明な窓部３１が形成されており、前面側から液晶表示板４１が視認できるようになっている。また、前面パネル３の略中央部より下側の部分には、５つの開口３２〜３６が形成されている。この開口３２〜３６は、ユーザが操作ボタン１１〜１６を視認できるようにするための開口である。開口３２〜３６は、それぞれが操作ボタン１２〜１６に対向するように配置され、操作ボタン１２〜１６の一部に嵌合している。ここで、図４に示すように、操作ボタン１１〜１６が凹部１０２〜１０６に取り付けられた状態においては、操作ボタン１１〜１６の一部は、前板１０ａよりも正面側に突出している（具体的には、前面パネル３の厚みの分だけ正面側に突出している）状態にある。そして、この操作ボタン１１〜１６の突出している部分に前面パネル３の開口３２〜３６が嵌合するようになっている（図１を参照）。
【００４２】
正面側ケース本体１０の内部には、図３、図６に示すように正面側ケース本体１０の内部を前後方向に分割するように上下方向に延びる電装基板４が固定されている。電装基板４には、表示開口１０１と対向する位置に、空調機の運転状態を表示するための液晶表示板４１が実装されている。液晶表示板４１は、表示開口１０１に嵌合している。そして、この液晶表示板４１の前面が前面パネル３の前面と同位置にくるように（図１を参照）、電装基板４は正面側ケース本体１０の内部に配置されている。
【００４３】
また、図２、図３に示すように、電装基板４の中央部よりも下側の部分（表示開口１０１の下方の部分）には、押圧されているときのみ電源がＯＮ状態となるタクトスイッチ４２〜５０が実装されている。タクトスイッチ４２〜５０は、ユーザが操作ボタン１１〜１６を操作することによって電源がＯＮ状態やＯＦＦ状態になる（具体的には、ユーザが操作ボタン１１〜１６を押した場合は、押圧荷重が作用している状態にあり、タクトスイッチ４２〜５０がＯＮ状態となりそのＯＮ状態が維持される。そして、ユーザが再度操作ボタン１１〜１６を押して押圧荷重を解除した場合は、タクトスイッチ４２〜５０がＯＦＦ状態となり、そのＯＦＦ状態が維持される）ので、操作ボタン１１〜１６に対向するように、電装基板４に配置されている。
【００４４】
また、電装基板４には、図６に示すように、その背面に、後述する端子部７０に実装されるプラグ７０ａと電気的に接続されるジャック５１が実装されている。
【００４５】
ジャック５１には、プラグ７０ａに挿入されプラグ７０ａを嵌合可能なプラグ挿入孔５１ａが形成されている。プラグ挿入孔５１ａを形成する内側面は、プラグ７０ａと電気的に接続されるように金属から構成される。なお、プラグ７０ａと接点接触をするのは、このプラグ挿入孔５１ａを形成する内側面である。
【００４６】
（背面側ケース７の構成）
背面側ケース７は、図５に示すように、主として、背面側ケース７の背面（本体２の背面）を構成する後板７ａと、背面側ケース７の左側面を形成する左側板７ｂと、背面側ケース７の右側面を形成する右側板７ｃと、背面側ケース７の上面を形成する天板７ｄと、背面側ケースの下面を形成する底板７ｅとを有している。
【００４７】
後板７ａには、略中央部よりも上側の部分および略中央部よりも下側の部分に、背面側ケース７を壁面Ｗ（図６を参照）に取り付けるための２つの開口８ａ、８ｂが形成されている。また、後板７ａには、その前面の左下方の部分に、空調機に接続され壁を挟んで室内と反対側に位置する配線（以下、配線Ｌという）を接続するための端子を実装する端子部７０が設けられている。ここで、壁面Ｗには、開口が形成されており、この開口を介して配線Ｌを室内側へと取り出すことができる。
【００４８】
端子部７０には、ジャック５１に形成されるプラグ挿入孔５１ａに挿入可能なプラグ７０ａが実装されている。プラグ７０ａの先端部は、プラグ７０ａをプラグ挿入孔５１ａに挿入したときに、プラグ７０ａとプラグ挿入孔５１ａを形成する内側面とが電気的に接続されるように金属から構成されている。
【００４９】
左側板７ｂおよび右側板７ｃの外面には、それぞれ正面側ケース６の突出部１１１ｂ、１１１ｄを上下方向にスライド可能にするためのガイドレール８ｄ、８ｅが形成されている。ガイドレール８ｄは、左側板７ｂの略中央部から右側に凹んでおり、突出部１１１ｂが外側から嵌まる構成となっている。また、ガイドレール８ｅは、右側板７ｃの略中央部から左側に凹んでおり、突出部１１１ｄが外側から嵌まる構成となっている。
【００５０】
天板７ｄの背面側部分には、２つの爪部１１２、１１３が嵌合可能な２つの爪部用開口８ｆ、８ｇが形成されている。天板７ｄに、爪部用開口８ｆ、８ｇが形成されていることにより、正面側ケース６が背面側ケース７に対して下方にスライドして、正面側ケース６が背面側ケース７に嵌合した後、正面側ケース６を背面側ケースから外れにくくしている。つまり、爪部用開口８ｆ、８ｇは、正面側ケース６が背面側ケース７に嵌合した後、正面側ケース６の上下の動きを拘束する機能を有している。
【００５１】
そして、後板７ａ、左側板７ｂ、右側板７ｃ、底板７ｅには、それぞれ楕円形状の切り込みが形成されている。この切り込みは、配線Ｌを背面側ケース７の正面側の領域へと貫通させるための配線用開口８ｃを形成する役割を有している。具体的には、リモコン１の設置対象地において、本体２を壁面Ｗに取り付けようとする際、この切り込みをニッパ等で切り取ることによって、配線用開口８ｃが形成される。なお、後板７ａ、左側板７ｂ、右側板７ｃ、底板７ｅにそれぞれ楕円形状の切り込みが形成されているのは、リモコン１の設置場所等の条件によって施工者が切り取りを行う切り込みを選択できるようにするためである。本実施形態においては、後板７ａに形成されている切り込みを切り取って、配線Ｌを、端子部７０に実装される端子に接続することができるようにしている。
【００５２】
＜リモコン１の本体２の壁面Ｗへの取付方法＞
以下、リモコン１の壁面Ｗへの取り付け方法について説明する。なお、リモコン１は、図１に示すような本体２の状態でリモコン１の設置対象地まで運ばれる。
【００５３】
まず、リモコン１を設置する対象地において、本体２の下部分であって正面側ケース６と背面側ケース７との接続部分にドライバを挿入することで、正面側ケース６と背面側ケース７とに分解する。
【００５４】
次に、ニッパで背面側ケース７の配線用開口８ｃを形成するための切り込み部分（具体的には、後板７ａに形成される切り込み）をその切り込みに沿って切り取ることで配線用開口８ｃを形成する。そして、壁面Ｗに形成されている開口から配線Ｌを室内側へと取り出し、配線Ｌを背面側ケース７の配線用開口８ｃから背面側ケース７の正面側の領域へ取り出す。そして、図７に示すように、後板７ａの背面を壁面Ｗに接触させる。そして、開口８ａ、８ｂにネジを挿通させて背面側ケース７を壁面Ｗに固定する。そして、配線Ｌを端子部７０に実装される端子に接続してネジで留める。ここでは、背面側ケース７を壁面Ｗに固定した状態で、配線Ｌを端子に接続することができるので、配線Ｌの端子への接続作業が容易になっている。
【００５５】
次に、図８に示すように、背面側ケース７が壁面Ｗに固定された状態で、正面側ケース６の突出部１１１ｂ、１１１ｄをそれぞれ背面側ケース７のガイドレール８ｄ、８ｅに挿入して、爪部１１２、１１３がそれぞれ爪部用開口８ｆ、８ｇに嵌合するまで正面側ケース６を背面側ケース７に対して下方にスライドさせる。
【００５６】
そして、爪部１１２、１１３がそれぞれ爪部用開口８ｆ、８ｇに嵌合すると、正面側ケース６が背面側ケース７に嵌合した状態（図１、図６を参照）となり、リモコン１の本体２の壁面Ｗへの取り付けが完了する。
【００５７】
ここで、正面側ケース６が背面側ケース７に嵌合している状態になったとき、プラグ７０ａがプラグ挿入孔５１ａに挿入され、嵌合した状態となる。つまり、正面側ケース６と背面側ケース７とが嵌合すると、プラグ７０ａとジャック５１とが電気的に接続する状態になるように構成されている。よって、正面側ケース６と背面側ケース７とが嵌合している状態においては、配線Ｌが正面側ケース６の内部に配置される電装基板４に電気的に接続されている状態となっているので、ユーザがリモコン１の操作ボタン１１〜１６を押して操作ボタン１１〜１６の背面がタクトスイッチ４２〜５０を押圧させることによって、空調機を動作させたり、空調機の運転状態を変更させたりすることができるようになっている。ここでは、配線Ｌを端子部７０に実装される端子に接続しておき、正面側ケース６と背面側ケース７とを嵌合させるだけで、プラグ７０ａをプラグ挿入孔５１ａに挿入することができ、かつ、配線Ｌを電装基板４に電気的に接続させることができるので、作業者にとって簡易な作業となっている。また、正面側ケース６と背面側ケース７とは互いにスライドすることができるので、確実にプラグ７０ａをプラグ挿入孔５１ａに挿入することができる。
【００５８】
また、ここで、ガイドレール８ｄ、８ｅを形成する内側面は、突出部１１１ｂ、１１１ｄの前後の動きを拘束する機能を有する。よって、例え、背面側ケース７が、ネジの締め具合によって多少前面側に湾曲するように反っていても、正面側ケース６と背面側ケース７とを嵌合させることができ、正面側ケース６と背面側ケース７とを互いに外れにくくすることができる。また、爪部１１２、１１３がそれぞれ爪部用開口８ｆ、８ｇに嵌合することによって、正面側ケース６が背面側ケース７から外れにくくなっている。
【００５９】
＜本実施形態に係るリモコン１の特徴＞
（１）
従来、背面側ケースを壁面に固定し、そして、背面側ケースに形成される開口から背面側ケースの正面側の領域に取り出しておいた空調機からの配線を、正面側ケースに配置される端子に接続してから正面側ケースを背面側ケースに取り付ける、リモコンの壁面への取り付け方法がある。
【００６０】
しかし、背面側ケースを壁面に固定した後、作業者は正面側ケースを片手で持ちながら、他方の手で配線を端子に接続する必要があり、電装基板の品質の低下を防止するために電装基板には触れないことが望ましいことを考えると作業時間が長くなってしまうことが想定される。
【００６１】
また、端子への接続に必要な長さの分の配線を室内側へと取り出して正面側ケースに配置される端子に配線を接続することが考えられるが、その取り出した配線が、端子への接続に必要な長さよりも長い場合、正面側ケースを背面側ケースに取り付けるときに、作業者は、余分な長さの配線を、壁を挟んで室内側と反対側に戻しながら作業を行うことになる。この場合、作業者の作業効率が低下することも想定される。また、このとき、余った配線を全て、壁を挟んで室内側と反対側に収納することができない場合は、配線は室内側（つまり、操作機器側）に位置していることになるので、正面側ケースを背面側ケースに取り付けても正面側ケースが浮いてしまうことも考えられる。
【００６２】
そこで、本実施形態では、配線Ｌを接続する端子やプラグ７０ａが実装される端子部７０を背面側ケース７の内部に設け、正面側ケース６の内部に配置される電装基板４に、プラグ７０ａを挿入可能なプラグ挿入孔５１ａが形成されるジャック５１を実装している。そして、正面側ケース６と背面側ケース７とが嵌合したときに、プラグ７０ａがプラグ挿入孔５１ａに挿入され、プラグ７０ａとジャック５１とが互いに電気的に接続されるようになっている。つまり、プラグ７０ａがプラグ挿入孔５１ａに挿入された状態では、配線Ｌは電装基板４に電気的に接続されている状態となっている。
【００６３】
これにより、まず、背面側ケース７を壁面Ｗに固定した後、両手で配線Ｌを端子に接続することが可能になる。また、電装基板４は正面側ケース６の内部に配置されているので、配線Ｌを端子に接続する際、作業者が電装基板４に触れる恐れもなくなる。よって、端子への配線Ｌの接続作業を行うことが容易になり、作業者の作業効率が向上する。また、電装基板４の品質の低下も防止することができる。
【００６４】
また、従来よりも配線Ｌを、壁を挟んで室内側と反対側から長く取り出す必要がなくなる。つまり、端子の接続に必要な長さの分の配線Ｌを取り出すことが可能となる。よって、配線Ｌの端子への接続作業の時間が速くなる。そして、これにより、正面側ケース６を背面側ケース７に取り付けた際、配線Ｌの余りによる正面側ケース６の浮きの恐れもなくなる。よって、正面側ケース６が背面側ケース７から外れにくくなる。
【００６５】
（２）
一般に、背面側ケースには、背面側ケースを壁面に取り付けるための開口が形成されており、その開口にネジを通すことで背面側ケースを壁面に固定することが多い。
【００６６】
しかし、背面側ケースを壁面に固定する際、ネジの締め過ぎ等によって背面側ケースが前面側に湾曲することが想定される。そして、正面側ケースを背面側ケースに取り付けようとすると、背面側ケースが前面側に反っているので、正面側ケースを背面側ケースに取り付けることに手間がかかり、かつ、正面側ケースを背面側ケースに取り付けたとしても、浮いたり、外れたりしやすくなることも考えられる。また、背面側ケースが反っていなくても、リモコンや壁、柱への衝撃により、正面側ケースが背面側ケースから外れてしまうことも想定される。
【００６７】
そこで、本実施形態では、正面側ケース６の左側板１０ｃおよび右側板１０ｄにそれぞれ突出部１１１ｂ、１１１ｄが形成されており、背面側ケース７の左側板７ｂおよび右側板７ｃにそれぞれガイドレール８ｄ、８ｅが形成されている。正面側ケース６の突出部１１１ｂが背面側ケース７のガイドレール８ｄに導かれ、また正面側ケース６の突出部１１１ｄが背面側ケース７のガイドレール８ｅに導かれることによって、正面側ケース６および背面側ケース７は互いに上下方向にスライドすることが可能になっている。そして、ガイドレール８ｄ、８ｅがそれぞれ内側に凹んでいる形状を有していることで、ガイドレール８ｄ、８ｅを形成する内側面が、突出部１１１ｂ、１１１ｄの前後の動きを拘束している。
【００６８】
これにより、正面側ケース６が背面側ケース７から多少浮いてしまうような状態にあっても、正面側ケース６は背面側ケース７から外れにくくなる。よって、正面側ケース６と背面側ケース７との嵌合度合いが向上する。
【００６９】
また、正面側ケース６および背面側ケース７がスライド構造を有することによって、正面側ケース６を背面側ケース７に取り付けることが容易である。
【００７０】
さらに、正面側ケース６と背面側ケース７とがスライドすることにより、プラグ７０ａをプラグ挿入孔５１ａに挿入することができ、プラグ７０ａとジャック５１とを確実に電気的に接続させることができる。
【００７１】
＜本実施形態に係るリモコン１の変形例＞
（Ａ）
上記実施形態では、正面側ケース６と背面側ケース７とが嵌合しているとき、プラグ７０ａがプラグ挿入孔５１ａに挿入しており、プラグ７０ａとジャック５１とが電気的に接続されている状態にあると説明したが、本発明はこれに限られるものではなく、正面側ケース６と背面側ケース７とが嵌合した状態において、電装基板４に実装される金属製の部品が、端子部７０に実装される金属製の部品と接触することで、それらが互いに電気的に接続されている状態にあってもよい。
【００７２】
例えば、正面側ケース６と背面側ケース７とが嵌合しているとき、電装基板４に実装される金属製の部品が、端子部７０に実装されるバネを押圧している状態にあることでそれらが互いに電気的に接続されている状態にあってもよい。
【００７３】
（Ｂ）
上記実施形態では、正面側ケース６の電装基板４にジャック５１が実装されており、背面側ケース７に設けられる端子部７０にプラグ７０ａが実装されていると説明したが、逆の構成であってもよい。
【００７４】
（Ｃ）
上記実施形態では、正面側ケース６に爪部１１２、１１３が設けられており、背面側ケース７の天板７ｄに爪部用開口８ｆ、８ｇが形成されていると説明したが、本発明はこれに限られるものではない。
【００７５】
爪部１１２、１１３および爪部用開口８ｆ、８ｇは、正面側ケース６が背面側ケース７に対して上下方向に移動しないように拘束する機能を有するものであるので、その機能が発揮できれば、爪部１１２、１１３および爪部用開口８ｆ、８ｇは正面側ケース６および背面側ケース７のどこに形成されていてもよい。
【００７６】
例えば、正面側ケース６に爪部用開口８ｆ、８ｇが形成され、正面側ケース６に爪部１１２、１１３が設けられていてもよい。また、背面側ケース７の左側板７ｂや右側板７ｃの下端部や底板７ｅの前面に爪部用開口８ｆ、８ｇが形成され、正面側ケース６の、爪部用開口８ｆ、８ｇに対向する位置に爪部１１２、１１３が設けられてもよい。
【００７７】
（Ｄ）
上記実施形態では、リモコン１の本体２は、壁面Ｗに取り付けられると説明したが、本発明はこれに限られるものではなく、リモコン１の本体２は、壁面Ｗに埋め込まれたり、取り付けられたりするスイッチボックスに取り付けられてもよい。
【００７８】
（Ｅ）
上記実施形態では、リモコン１は、空調機に使用されるリモートコントローラであると説明したが、本発明はこれに限られるものではなく、他の設備に使用されてもよい。
【００７９】
＜第２実施形態＞
第２実施形態に係るリモコン１００の本体２００は、第１実施形態に係るリモコン１の本体２の構成と一部が異なる。具体的には、第２実施形態に係るリモコン１００の本体２００では、正面側ケース２１０と背面側ケース２２０とはスライド可能な構成をしておらず、正面側ケース２１０と背面側ケース２２０とはヒンジ２５０で連結される構成を有している。
【００８０】
以下、第２実施形態に係るリモコン１００の本体２００の構成について説明する。なお、第１実施形態に係るリモコン１の本体２と同じ部材については、同じ符号を付して説明を省略する。
【００８１】
＜リモコン１００の本体２００の構成＞
本体２００は、図９に示すように、正面側ケース２１０と、背面側ケース２２０とを有している。正面側ケース２１０と背面側ケース２２０とは、２つのヒンジ２５０を介して連結されており、互いに嵌合可能である。なお、図示はしないが、正面側ケース２１０の後端面には、複数の爪部が設けられており、背面側ケース２２０の前端面には、爪部に対向する位置に、爪部に嵌合可能な複数の開口が形成されている。ここでは、爪部が開口に嵌合することにより、正面側ケース２１０と背面側ケース２２０とが嵌合した後に、それらが互いに分離するのを防止することができるようになっている。なお、正面側ケース２１０の後端面に開口が形成されており、背面側ケース２２０の前端面の、開口に対向する位置に爪部が設けられていてもよい。
【００８２】
正面側ケース２１０の内部には、第１実施形態と同様に電装基板１４０が配置されている。また、背面側ケース２２０の内部には、配線Ｌを接続する端子を実装する端子部１７０が配置されている。この端子部１７０には、リード線Ｌ１が実装されている。このリード線Ｌ１は、予め、電装基板１４０に実装される電源用の端子（図示せず）に接続されている。
【００８３】
なお、第１実施形態においては、スペースの関係上天板７ｄに配線用開口８ｃを形成するための切り込みを形成していなかったが、第２実施形態においては、第１実施形態における天板７ｄに対応する背面側ケース２２０の上端部に配線用開口８ｃを形成するための切り込みを形成していてもよい。
【００８４】
＜第２実施形態に係るリモコン１００の本体２００の壁面Ｗへの取り付け方法＞
第２実施形態に係るリモコン１００の本体２００の壁面Ｗへの取り付けに関しては、ほぼ第１実施形態と同様であり、以下、本体２００の壁面Ｗへの取り付けに関して簡単に説明する。
【００８５】
まず、作業者は、壁面Ｗに形成される開口から配線Ｌを取り出し、配線用開口８ｃから配線Ｌを背面側ケース７の正面側の領域へと取り出す。そして、背面側ケース２２０の背面を壁面Ｗに接触させて、開口８ａ、８ｂを介して背面側ケース２２０を壁面Ｗにネジで固定する。その後、端子部１７０が実装する端子に配線Ｌを接続させる。そして、正面側ケース２１０を背面側ケース２２０に嵌合させて、リモコン１００の本体２００の壁面Ｗへの取り付けが完了する。
【００８６】
ここで、第１実施形態のリモコン１の本体２の取り付けと異なる点は、正面側ケース６と背面側ケース７とを嵌合させなくても配線Ｌを端子部１７０が実装する端子に接続させた時点で、その端子と電装基板４の電源用の端子とが電気的に接続される点である。
【００８７】
＜第２実施形態に係るリモコン１００の特徴＞
正面側ケース２１０および背面側ケース２２０はヒンジ構造を有するので、正面側ケース２１０を背面側ケース２２０に取り付けることが容易である。
【００８８】
また、第１実施形態に係るリモコン１と同様に、背面側ケース２２０の背面を壁面Ｗに固定した状態で、配線Ｌを端子部７０の実装する端子に接続することができるので、配線Ｌの端子への接続作業が容易になる。また、リード線Ｌ１が電装基板１４０に接続されているので、配線Ｌを端子部７０の端子に接続させた時点で、電装基板１４０と配線Ｌとは電気的に接続された状態となっている。これらにより、従来のように、正面側ケースに配置される、端子が実装される電装基板に直接配線を接続する必要がなくなり、作業者の配線Ｌの端子への接続作業が容易になる。よって、リモコン１００の本体２００の壁面Ｗへの取り付け作業の効率が向上する。
【産業上の利用可能性】
【００８９】
本発明では、作業者の、操作機器の壁面への取り付け作業の効率が向上するので、有用である。
【符号の説明】
【００９０】
１  リモコン（操作機器）
４  電装基板（電装部）
６  正面側ケース
７  背面側ケース
８ａ、８ｂ  開口（取付部）
８ｄ、８ｅ  ガイドレール（ガイド部）
１１〜１６  操作ボタン（操作部）
４１  液晶表示板（表示部）
７０  端子部
１１１ｂ、１１１ｄ  突出部（被ガイド部）
１００  リモコン（操作機器）
１４０  電装基板（電装部）
１７０  端子部
２１０  正面側ケース
２２０  背面側ケース
２５０  ヒンジ
Ｌ  配線
Ｗ  壁面
【先行技術文献】
【特許文献】
【００９１】
【特許文献１】特開２００２−３７２２５７号公報
【図１】
2010266117.tif 000003
【図２】
2010266117.tif 000004
【図３】
2010266117.tif 000005
【図４】
2010266117.tif 000006
【図５】
2010266117.tif 000007
【図６】
2010266117.tif 000008
【図７】
2010266117.tif 000009
【図８】
2010266117.tif 000010
【図９】
2010266117.tif 000011